【手続補正書】
【提出日】平成27年11月17日(2015.11.17)
【手続補正１】
【補正対象書類名】特許請求の範囲
【補正対象項目名】全文
【補正方法】変更
【補正の内容】
【特許請求の範囲】
【請求項１】
ＲＯＳを通るプロセス経路に沿って感光体の一部上へ画像を生成するためのラスタ出力スキャナ（ＲＯＳ）であって、
光出力を生成する働きをする少なくとも１つの光源と、
少なくとも１つの変調光出力を生成するために、前記少なくとも１つの光源を画像データに従って選択的に作動する働きをするドライバと、
前記画像データに従って前記感光体の少なくとも一部上へ画像を生成するために、印刷システムの感光体への直接または間接的な前記少なくとも１つの光源の前記少なくとも１つの変調光出力を高速走査方向に沿って個々に走査する働きをする複数の反射ファセットを有する回転多角形を備えるモータ・ポリゴン・アセンブリと、
所定の反射ファセットに対応する複数のバンディング補正プロファイルのうちの所定の１つに従ってバンディングを減らすために、前記回転多角形の所定の反射ファセットによる走査の間に、前記ドライバに、前記少なくとも１つの光源によって与えられる前記少なくとも１つの変調光出力の出力レベルを選択的に変えさせるように、前記ドライバと機能的に結合されるコントローラとを備えるラスタ出力スキャナ（ＲＯＳ）。
【請求項２】
前記少なくとも１つの光源は、光出力を生成する働きをする少なくとも１つのレーザを備える、請求項１に記載のＲＯＳ。
【請求項３】
前記少なくとも１つの光源は、個々に対応する光出力を生成する働きをする複数の光源を備え、
前記ドライバは、対応する複数の変調光出力を生成するために、対応するスキャンライン画像データに従って個々に前記複数の光源を選択的に作動する働きをし、
前記回転多角形は、前記画像データに従って前記感光体の少なくとも前記一部上へ画像を生成するために、前記複数の変調光出力を前記高速走査方向に沿って直接または間接的に前記感光体へ方向づける働きをし、かつ、
前記コントローラは、前記所定の反射ファセットに対応する複数のバンディング補正プロファイルのうちの所定の１つに従ってバンディングを減らすために、前記回転多角形の所定の反射ファセットによる走査の間に、前記ドライバに、前記複数の光源によって与えられる前記複数の変調光出力の出力レベルを選択的に変えさせる働きをする、請求項１に記載のＲＯＳ。
【請求項４】
前記少なくとも１つの光源は、個々に対応する光出力を生成する働きをする複数の光源を備え、
前記ドライバは、対応する複数の変調光出力を生成するために、対応するスキャンライン画像データに従って個々に前記複数の光源を選択的に作動する働きをし、
前記回転多角形は、前記画像データに従って前記感光体の少なくとも前記部分上へ画像を生成するために、前記複数の変調光出力を前記高速走査方向に沿って直接または間接的に前記感光体へ方向づける働きをし、かつ、
前記コントローラは、前記個々の光源および前記所定の反射ファセットに対応するバンディング補正プロファイルに従ってバンディングを減らすために、前記回転多角形の所定の反射ファセットによる走査の間に、前記ドライバに、前記複数の光源によって与えられる前記複数の変調光出力のうちの個々の１つの出力レベルを選択的に変えさせる働きをする、請求項１に記載のＲＯＳ。
【請求項５】
前記コントローラへ前記回転多角形の前記所定の反射ファセットのアイデンティティの指示を提供するエンコーダをさらに備え、前記コントローラは、前記エンコーダからの前記指示に従って前記所定の反射ファセットに対応する前記複数のバンディング補正プロファイルのうちの前記所定の１つを選択する働きをする、請求項１に記載のＲＯＳ。
【請求項６】
文書処理システムであって、
マーキング材料を中間媒体上へ転写する働きをする少なくとも１つのマーキングデバイスと、
前記中間媒体の進行経路に近接して位置合わせされ、かつ前記マーキング材料を前記中間媒体から印刷可能媒体へ転送する働きをする転写ステーションと、
ＲＯＳを通るプロセス経路に沿って進む前記中間媒体の一部上へ画像を生成するために、前記少なくとも１つのマーキングステーションに機能的に関連づけられるラスタ出力スキャナ（ＲＯＳ）とを備え、前記ＲＯＳは、
光出力を生成する働きをする少なくとも１つの光源と、
少なくとも１つの変調光出力を生成するために、前記少なくとも１つの光源を画像データに従って選択的に作動する働きをするドライバと、
前記画像データに従って前記感光体の少なくとも一部上へ画像を生成するために、印刷システムの感光体への直接または間接的な前記少なくとも１つの光源の前記少なくとも１つの変調光出力を高速走査方向に沿って個々に走査する働きをする複数の反射ファセットを有する回転多角形を備えるモータ・ポリゴン・アセンブリと、
前記所定の反射ファセットに対応する複数のバンディング補正プロファイルのうちの所定の１つに従ってバンディングを減らすために、前記回転多角形の所定の反射ファセットによる走査の間に、前記ドライバに、前記少なくとも１つの光源によって与えられる前記少なくとも１つの変調光出力の出力レベルを選択的に変えさせるように、前記ドライバと機能的に結合されるコントローラと、
前記コントローラへ前記回転多角形の前記所定の反射ファセットのアイデンティティの指示を提供するエンコーダと、を備え、
前記コントローラは、前記エンコーダからの前記指示に従って前記所定の反射ファセットに対応する前記複数のバンディング補正プロファイルのうちの前記所定の１つを選択する働きをする、文書処理システム。
【請求項７】
前記少なくとも１つの光源は、個々に対応する光出力を生成する働きをする複数の光源を備え、
前記ドライバは、対応する複数の変調光出力を生成するために、対応するスキャンライン画像データに従って個々に前記複数の光源を選択的に作動する働きをし、
前記回転多角形は、前記画像データに従って前記感光体の少なくとも前記一部上へ画像を生成するために、前記複数の変調光出力を前記高速走査方向に沿って直接または間接的に前記感光体へ方向づける働きをし、かつ、
前記コントローラは、前記所定の反射ファセットに対応する複数のバンディング補正プロファイルのうちの所定の１つに従ってバンディングを減らすために、前記回転多角形の所定の反射ファセットによる走査の間に、前記ドライバに、前記複数の光源によって与えられる前記複数の変調光出力の出力レベルを選択的に変えさせる働きをする、請求項６に記載の文書処理システム。
【請求項８】
前記少なくとも１つの光源は、個々に対応する光出力を生成する働きをする複数の光源を備え、
前記ドライバは、対応する複数の変調光出力を生成するために、対応するスキャンライン画像データに従って個々に前記複数の光源を選択的に作動する働きをし、
前記回転多角形は、前記画像データに従って前記感光体の少なくとも前記部分上へ画像を生成するために、前記複数の変調光出力を前記高速走査方向に沿って直接または間接的に前記感光体へ方向づける働きをし、かつ、
前記コントローラは、前記個々の光源および前記所定の反射ファセットに対応するバンディング補正プロファイルに従ってバンディングを減らすために、前記回転多角形の所定の反射ファセットによる走査の間に、前記ドライバに、前記複数の光源によって与えられる前記複数の変調光出力のうちの個々の１つの出力レベルを選択的に変えさせる働きをする、請求項６に記載の文書処理システム。
【請求項９】
印刷システムにおけるバンディングを減らすための方法であって、
少なくとも１つの変調光出力を生成するために、画像データに従って少なくとも１つの光源を選択的に作動することと、
前記画像データに従って感光体の少なくとも一部上へ画像を生成するために、回転多角形の反射ファセットのうちの所定の１つを用いて、印刷システムの感光体への直接または間接的な前記少なくとも１つの光源の前記少なくとも１つの変調光出力を高速走査方向に沿って個々に走査することと、
前記所定の反射ファセットに対応する複数のバンディング補正プロファイルのうちの所定の１つに従って、前記所定の反射ファセットによる走査の間に、前記少なくとも１つの光源によって与えられる前記少なくとも１つの変調光出力の出力レベルを選択的に変えることを含む方法。
【手続補正２】
【補正対象書類名】明細書
【補正対象項目名】００３０
【補正方法】変更
【補正の内容】
【００３０】
したがって、上述の諸実施形態は、プロセス横断方向のバンディング効果がスキャンラインベースで、かつ／またはスワスベースで補正されることを可能にし（電子バンディング矯正または補正）、これにより、プロセス横断方向に（振幅および位相）変化を含む所定の文書処理システム１００における測定可能なＭＰＡ高調波バンディングの制御が促進され、この場合、ＲＯＳコントローラ２０２は、プロセス横断／高速走査方向に振幅および位相が変わるスマイル補正関数のファセット毎の変化を使用することができ、これが走査の始点（ＳＯＳ）ロケーションと走査の終わり（ＥＯＳ）ロケーションとの間の全ての高速走査ロケーションにおいてＭＰＡ高調波バンディングを補正する。なお、以下に本発明の構成の一例を付記として示す。
（付記１）
ＲＯＳを通るプロセス経路に沿って感光体の一部上へ画像を生成するためのラスタ出力スキャナ（ＲＯＳ）であって、
光出力を生成する働きをする少なくとも１つの光源と、
少なくとも１つの変調光出力を生成するために、前記少なくとも１つの光源を画像データに従って選択的に作動する働きをするドライバと、
前記画像データに従って前記感光体の少なくとも一部上へ画像を生成するために、印刷システムの感光体への直接または間接的な前記少なくとも１つの光源の前記少なくとも１つの変調光出力を高速走査方向に沿って個々に走査する働きをする複数の反射ファセットを有する回転多角形を備えるモータ・ポリゴン・アセンブリと、
所定の反射ファセットに対応する複数のバンディング補正プロファイルのうちの所定の１つに従ってバンディングを減らすために、前記回転多角形の所定の反射ファセットによる走査の間に、前記ドライバに、前記少なくとも１つの光源によって与えられる前記少なくとも１つの変調光出力の出力レベルを選択的に変えさせるように、前記ドライバと機能的に結合されるコントローラとを備えるラスタ出力スキャナ（ＲＯＳ）。
（付記２）
前記少なくとも１つの光源は、光出力を生成する働きをする少なくとも１つのレーザを備える、付記１に記載のＲＯＳ。
（付記３）
前記少なくとも１つの光源は、個々に対応する光出力を生成する働きをする複数の光源を備え、
前記ドライバは、対応する複数の変調光出力を生成するために、対応するスキャンライン画像データに従って個々に前記複数の光源を選択的に作動する働きをし、
前記回転多角形は、前記画像データに従って前記感光体の少なくとも前記一部上へ画像を生成するために、前記複数の変調光出力を前記高速走査方向に沿って直接または間接的に前記感光体へ方向づける働きをし、かつ、
前記コントローラは、前記所定の反射ファセットに対応する複数のバンディング補正プロファイルのうちの所定の１つに従ってバンディングを減らすために、前記回転多角形の所定の反射ファセットによる走査の間に、前記ドライバに、前記複数の光源によって与えられる前記複数の変調光出力の出力レベルを選択的に変えさせる働きをする、付記１に記載のＲＯＳ。
（付記４）
前記少なくとも１つの光源は、個々に対応する光出力を生成する働きをする複数の光源を備え、
前記ドライバは、対応する複数の変調光出力を生成するために、対応するスキャンライン画像データに従って個々に前記複数の光源を選択的に作動する働きをし、
前記回転多角形は、前記画像データに従って前記感光体の少なくとも前記部分上へ画像を生成するために、前記複数の変調光出力を前記高速走査方向に沿って直接または間接的に前記感光体へ方向づける働きをし、かつ、
前記コントローラは、前記個々の光源および前記所定の反射ファセットに対応するバンディング補正プロファイルに従ってバンディングを減らすために、前記回転多角形の所定の反射ファセットによる走査の間に、前記ドライバに、前記複数の光源によって与えられる前記複数の変調光出力のうちの個々の１つの出力レベルを選択的に変えさせる働きをする、付記１に記載のＲＯＳ。
（付記５）
前記コントローラへ前記回転多角形の前記所定の反射ファセットのアイデンティティの指示を提供するエンコーダをさらに備え、前記コントローラは、前記エンコーダからの前記指示に従って前記所定の反射ファセットに対応する前記複数のバンディング補正プロファイルのうちの前記所定の１つを選択する働きをする、付記１に記載のＲＯＳ。
（付記６）
文書処理システムであって、
マーキング材料を中間媒体上へ転写する働きをする少なくとも１つのマーキングデバイスと、
前記中間媒体の進行経路に近接して位置合わせされ、かつ前記マーキング材料を前記中間媒体から印刷可能媒体へ転送する働きをする転写ステーションと、
ＲＯＳを通るプロセス経路に沿って進む前記中間媒体の一部上へ画像を生成するために、前記少なくとも１つのマーキングステーションに機能的に関連づけられるラスタ出力スキャナ（ＲＯＳ）とを備え、前記ＲＯＳは、
光出力を生成する働きをする少なくとも１つの光源と、
少なくとも１つの変調光出力を生成するために、前記少なくとも１つの光源を画像データに従って選択的に作動する働きをするドライバと、
前記画像データに従って前記感光体の少なくとも一部上へ画像を生成するために、印刷システムの感光体への直接または間接的な前記少なくとも１つの光源の前記少なくとも１つの変調光出力を高速走査方向に沿って個々に走査する働きをする複数の反射ファセットを有する回転多角形を備えるモータ・ポリゴン・アセンブリと、
前記所定の反射ファセットに対応する複数のバンディング補正プロファイルのうちの所定の１つに従ってバンディングを減らすために、前記回転多角形の所定の反射ファセットによる走査の間に、前記ドライバに、前記少なくとも１つの光源によって与えられる前記少なくとも１つの変調光出力の出力レベルを選択的に変えさせるように、前記ドライバと機能的に結合されるコントローラとを備える文書処理システム。
（付記７）
前記少なくとも１つの光源は、個々に対応する光出力を生成する働きをする複数の光源を備え、
前記ドライバは、対応する複数の変調光出力を生成するために、対応するスキャンライン画像データに従って個々に前記複数の光源を選択的に作動する働きをし、
前記回転多角形は、前記画像データに従って前記感光体の少なくとも前記一部上へ画像を生成するために、前記複数の変調光出力を前記高速走査方向に沿って直接または間接的に前記感光体へ方向づける働きをし、かつ、
前記コントローラは、前記所定の反射ファセットに対応する複数のバンディング補正プロファイルのうちの所定の１つに従ってバンディングを減らすために、前記回転多角形の所定の反射ファセットによる走査の間に、前記ドライバに、前記複数の光源によって与えられる前記複数の変調光出力の出力レベルを選択的に変えさせる働きをする、付記６に記載の文書処理システム。
（付記８）
前記少なくとも１つの光源は、個々に対応する光出力を生成する働きをする複数の光源を備え、
前記ドライバは、対応する複数の変調光出力を生成するために、対応するスキャンライン画像データに従って個々に前記複数の光源を選択的に作動する働きをし、
前記回転多角形は、前記画像データに従って前記感光体の少なくとも前記部分上へ画像を生成するために、前記複数の変調光出力を前記高速走査方向に沿って直接または間接的に前記感光体へ方向づける働きをし、かつ、
前記コントローラは、前記個々の光源および前記所定の反射ファセットに対応するバンディング補正プロファイルに従ってバンディングを減らすために、前記回転多角形の所定の反射ファセットによる走査の間に、前記ドライバに、前記複数の光源によって与えられる前記複数の変調光出力のうちの個々の１つの出力レベルを選択的に変えさせる働きをする、付記６に記載の文書処理システム。
（付記９）
前記ＲＯＳは、前記コントローラへ前記回転多角形の前記所定の反射ファセットのアイデンティティの指示を提供するエンコーダを備え、前記コントローラは、前記エンコーダからの前記指示に従って前記所定の反射ファセットに対応する前記複数のバンディング補正プロファイルのうちの前記所定の１つを選択する働きをする、付記６に記載の文書処理システム。
（付記１０）
印刷システムにおけるバンディングを減らすための方法であって、
少なくとも１つの変調光出力を生成するために、画像データに従って少なくとも１つの光源を選択的に作動することと、
前記画像データに従って感光体の少なくとも一部上へ画像を生成するために、回転多角形の反射ファセットのうちの所定の１つを用いて、印刷システムの感光体への直接または間接的な前記少なくとも１つの光源の前記少なくとも１つの変調光出力を高速走査方向に沿って個々に走査することと、
前記所定の反射ファセットに対応する複数のバンディング補正プロファイルのうちの所定の１つに従って、前記所定の反射ファセットによる走査の間に、前記少なくとも１つの光源によって与えられる前記少なくとも１つの変調光出力の出力レベルを選択的に変えることを含む方法。